(57)【要約】  水の使用なしに負傷した手足にあてられる自己硬化性副子システムを含む整形外科用副子システムである。副子材料は、耐引裂き性外側ポーチと内側保護スリーブ内に入っており、副子材料に直接接するように配置された水含浸ゲルがポーチに入れられている。液体ポーチは、ポーチの一体部分である、長手方向のタブが引き出されて、裂かれ、副子システムに接触して硬化させることになる水含浸ゲルを解放する。
2021511840.tif 000002
【特許請求の範囲】
【請求項１】
整形外科用副子システムであって、
ａ）幅の寸法よりも長い長手方向の寸法を有する複数層のストリップの形態の水硬化性整形外科用副子材料と、
ｂ）前記副子材料の層の間に配置された、水が中に入った液体ポーチとを含み、
ｃ）前記液体ポーチは、２つの延長タブを提供し、前記液体ポーチは、ギプス材料に直接流体接触するように水含浸ゲルの解放を可能にする開く手段が設けられている、整形外科用副子システム。
【請求項２】
前記液体ポーチは、水を多く含んだ水含浸ゲルを含み、前記副子材料と流体的に連通する、請求項１に記載のシステム。
【請求項３】
前記水含浸ゲルは、プロピレングリコール、ポリプロピレングリコール、ヒドロキシプロピル及びヒドロキシメチルセルロース、スターチなどの複数のゲル材料を含む、請求項２に記載のシステム。
【請求項４】
水含浸ゲルは、促進剤、硬化剤及び増粘剤を含む、請求項３に記載のシステム。
【請求項５】
前記副子材料は平らな形態を有する、請求項１に記載のシステム。
【請求項６】
前記開く手段は、前記ポーチ上に横たえられ前記液体ポーチを超えて延びる、折り返された延長タブの形態である、請求項１に記載のシステム。
【請求項７】
前記折り返された平らな延長タブは、前記ポーチの一端において保護スリーブを出る、請求項６に記載のシステム。
【請求項８】
前記２つの端延長タブは、液体ポーチを開く間、安定性を提供する前記保護スリーブの縁に固定され留められている、請求項７に記載のシステム。
【請求項９】
前記液体ポーチが中に入っている保護スリーブを収容する、引裂き抵抗性水不透過性パッケージを含む、請求項１に記載のシステム。
【請求項１０】
前記整形外科用副子材料は水硬化性ポリウレタン樹脂を含む、請求項１に記載のシステム。
【請求項１１】
前記水は、プロピレングリコール、ポリプロピレングリコール、ヒドロキシプロピル及びヒドロキシメチルセルロース、スターチなどを含むゲルの形態である、請求項１０に記載の方法。
【請求項１２】
前記整形外科ギプス材料は肌に乾燥を提供する気密且つ水密の保護スリーブ内に保護され配置されている、請求項１に記載の方法。
【請求項１３】
統合された整形外科用副子システムであって、
ａ）幅の寸法よりも長い長手方向の寸法を有する複数層の形態の水硬化性副子ギプス材料と、
ｂ）前記水硬化性副子材料と直接流体連通する水含浸液体が中に入っており、前記副子ギプス材料の寸法に沿って長手方向に延びる液体ポーチと、
ｃ）前記液体ポーチを裂いて開き、前記水含浸ゲルが前記水硬化性ギプス材料に接するようになることを可能にする延長タブを引くことによって前記液体ポーチを破る手段とを含み、
ｄ）前記液体ポーチを破るために用いられる前記延長タブは、前記液体ポーチ自体の一体部分である、統合された整形外科用副子システム。
【発明の詳細な説明】
【技術分野】
【０００１】
本発明は、概して、整形外科医学の分野に関連し、より具体的には、固定するために負傷した手足にあてるように適合された自己硬化性の水分を含まない包帯、及び副子材料を硬化させるための水分の多いゲルを含む新規な整形外科用副子に関連する。
【背景技術】
【０００２】
慣例的に、医療包帯及び副子が折れた骨を固定するために用いられる。一般的に、そのような副子は、一旦水に接すると堅い構造に硬化する水硬化性物質が含浸されたギプス又はガラス繊維のストリップで作られている。しかし、この処置は、扱いが困難で面倒であり、副子を湿らせてしまう。またさらに、遠隔地では水が容易に利用できないこともある。その上、副子が負傷した肌又は傷口にあてがわれるとき、感染のおそれがある。なぜならば、材料を浸すために用いられた水は無菌ではないからである。
【発明の概要】
【発明が解決しようとする課題】
【０００３】
しかし、医療包帯及び副子を用いた処置は、扱いが困難で面倒であり、副子を湿らせてしまう。またさらに、遠隔地では水が容易に利用できないこともある。その上、副子が負傷した肌又は傷口にあてがわれるとき、感染のおそれがある。なぜならば、材料を浸すために用いられた水は無菌ではないからである。
【課題を解決するための手段】
【０００４】
本発明の整形外科用副子システムは、引裂き抵抗性外側袋及び整形外科分野で一般的に用いられる水硬化性樹脂で含浸された整形外科用副子材料でできた複数の並置された層を含む内包又は保護スリーブを含む。
【０００５】
上記副子材料は、ガラス繊維、ポリエステル、ナイロン又はギプスでありうる。水又は水含浸ゲルが、自己硬化副子システムとして、分離して供給され、まとめられている。前記水又は水含浸ゲルが、前記副子の層の間に挿入される長いポーチ内に供給される。液体ポーチは、液体を含まず、ポーチの延長部分を形成する部分を、一端に有する。
【０００６】
延長部は、３つの部分に分割され、中央部分は、折り返され、ポーチに被せられる。外側の２つの部分は、液体ポーチの反対の端に向かって配置され、液体ポーチを保護スリーブに固定するために用いられる。上述した液体ポーチは、副子材料の層の間に挟まれている。
【０００７】
副子材料及び液体ポーチは、保護ポーチ内部に配置される。上記保護ポーチは、空気及び水分を通さないようにする、シリコーンの薄いフィルム又は同様なプラスチック材料で覆われた不識材料で作ることができる。保護ポーチは、折り返された液体ポーチの中央延長タブが通る小さい領域を除いてその周りすべてが熱融着されている。
【０００８】
液体ポーチの反対の端における他の２つの側部の延長タブは、熱融着によって保護ポーチの縁にしっかりと取り付けられている。手で引っ張る力が中央スリップタブに加えられると、それによって液体ポーチが裂けて液体ポーチに入っている液体が解放され、副子材料に接することになる。
【０００９】
本発明に記載された乾燥した副子は、水硬化性である何れの整形外科注型材料への使用にも適している。液体ポーチは、美容又は医療産業において一般に用いられる、水又は粘り気のある水含浸ゲルを含むことができる。ゲルは、また、適切な割合で用いられる三級アミン、メチルケトン、銅又はスズ塩などの水硬化性樹脂と反応することになる硬化剤又は促進剤を含むことができる。
【００１０】
本発明の乾燥した副子システムは、互いの上に並置されたガラス繊維又はポリエステルシートの１つ以上の層からなる、自己硬化性整形外科用副子材料を提供する。液体ポーチは、水含浸ゲル及び気密且つ水密である保護ポーチを含む。液体ポーチには延長タブが一端に設けられており、この延長タブを引っ張ることによってポーチを破き、水含浸ゲルの解放を引き起こして副子材料に含まれている樹脂と反応させることができる。
【００１１】
硬化プロセスを容易にするために、オペレータは、解放された液体が広がるように、副子を広げ揉む必要がある。そうすることで、樹脂は硬化し、乾燥した副子を堅くさせる。この副子システムの外側バッグは、アルミニウムフォイル又はマイラーなどのプラスチックで形成されたパッケージである。外側ポーチは、弾力があり、引裂き強度がある。本発明の自己硬化性副子は、患者にあてる前に整形外科包帯を外してそれを水に浸けるという従来技術の不便さ及び欠点を回避する。
【００１２】
本発明の乾燥した副子の他の重要な利点には、保護ポーチに殺菌された溶液が噴霧されて、戦場、野外、及び車の事故で頻繁に遭遇する傷口又は折れた骨に副子をあてることを可能にすることが含まれる。
【００１３】
図面を考慮することによって、本発明の実施形態のためのよりよい理解が得られるであろう。
【図面の簡単な説明】
【００１４】
【図１】液体ポーチの一端へ折り返された中央部分及び液体ポーチの反対端への両側の延長部分を示す本発明の一実施形態の斜視図である。
【図２】一端において開いてその中身が現れている外側バッグの斜視図である。
【図３】一隅において開いてその中身を露出している保護ポーチの斜視図である。
【図４】保護スリーブ、副子材料及び折り返された引抜延長タブを含む液体ポーチを含む中身を透視した外側ポーチの斜視図である。
【発明を実施するための形態】
【００１５】
次に図面を参照すると、いくつかの図を通して同様の参照符号は同様の要素を表しており、添付された図は、周縁部３において封止され、一端に２つの短い延長タブ４と５をもつ中に液体が入っているポーチ１と、折り返されてポーチの上に横たえられポーチの他端を向いている長い延長タブ２を示している。図１に見られるように、前述の長い延長タブの端は孔１１を有しており、オペレータがその端をよりしっかりと保持し掴むことを可能にする。
【００１６】
上述した液体ポーチは、図２に示されているように、保護ポーチ８内部にあるギプス平板９の層の上に位置するか層の間に挟まれる。またさらに、保護ポーチ８は、長い延長タブ２が通ることを可能にする小さい領域を除いてすべての周囲６が封止されている。最後に、保護ポーチとその中身は、耐引裂き性があり、水密且つ気密な外側パッケージ１４内にまとめられることになる。
【００１７】
使用に際し、オペレータは、手で外側パッケージを引裂き、ギプス材料９と液体ポーチ１が中に入っている保護ポーチ１４を取り除くことになる。この際、ギプス包帯を硬化させるための水は液体ポーチ１内部のゲルによって供給されることになるので、水又は他の液体を用いる必要はない。
【００１８】
図１に見られるように、液体ポーチを引裂くことは、保護ポーチを一端において保持し、延長タブ２を保護ポーチの他端においてしっかり掴み、それを引き出すことによって、容易になされることができる。そうすることによって、液体ポーチは、その中央部に沿ってその全体の長さにわたって裂かれることになる。
【００１９】
続いて、ゲルが流れ出して副子材料９に接することになる。保護ポーチを揉むことによって、水含浸ゲルの副子材料全体にわたる広がりが促進される。副子材料９は、慣例的に、ガラス繊維、又はアリールアルカンジイソシアネートから得られ、主にジフェニルメタンジイソシアネートから得られるポリウレタンなどの水硬化性樹脂を含浸させた織られたポリエステルから作られ、これは、水含浸ゲルに接した後、それを使用して硬化し、折れた手足を固定することを可能にする。
【００２０】
無菌の保護スリーブの内部において不浸透性ポーチ内の水含浸ゲルを有することの利点がかなり大きいことは、明らかである。なぜならば、それは、簡単な自己硬化による、清潔且つ手間の要らない方法を提供し、ギプスが無菌でない水に浸される、従来の面倒な湿式の技術の必要性を除くからである。本発明の乾燥し且つ自己硬化する副子は、解離や感染を引き起こすであろう、湿った副子を患者の肌に直接的にあてることを、回避することになる。
【００２１】
図２に示されているように、液体ポーチ１は、２つの延長タブ４と５を有する。２つの延長タブ４と５は、保護ポーチ８の周縁部で熱接着１０で固定されて包み込まれているので、液体ポーチを開ける手段２が引っ張られたとき、ポーチは相対的に静止したまま止まるであろう。加えて、ポーチはまた、水硬化性樹脂の普通の粘着性の性質の点から見て、副子材料に付着するであろう。
【００２２】
本発明において樹脂を硬化させるために用いられるゲルは、通常、水ゲル様相を多く含んだ状態で供給することができる。スターチや増粘剤の他に、プロピレングリコール、ポリプロピレングリコール、ヒドロキシプロピル及びヒドロキシメチルセルロースなどの材料。樹脂を硬化させ重合反応を引き起こすために必要な水の量は、最少である。またさらに、樹脂硬化プロセルを容易にして速めるようにするために、適切な量の促進剤を水含浸ゲルに加えることができる。
【００２３】
本明細書に開示された本発明の実施形態は、開示が好ましいものとなることを目的として考慮されており、本発明は、本発明の範囲内に入る、開示された実施形態のすべての変更及び改変を範囲に含むことが意図されていることが理解されるべきである。
【図１】
2021511840.tif 000003
【図２】
2021511840.tif 000004
【図３】
2021511840.tif 000005
【図４】
2021511840.tif 000006
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
整形外科用副子システムであって、
ａ）１つまたは複数のストリップからなる水硬化性の整形外科用の副子材料であり、各ストリップは、幅寸法よりも長い寸法を有し、
ｂ）水を含む液体パウチと、前記液体パウチ内からの水の放出が副子材料と直接流体接触することを可能にする開口手段であって、液体パウチは前記整形外科用副子材料のストリップに隣接して配置され、
ｃ）前記液体パウチは、２つの拡張または複数の拡張タブを提供し、
ｄ）前記副子材料の少なくとも一部および前記液体ポーチの一部を含む
ことを特徴とする整形外科用副子システム。
【請求項２】
前記液体ポーチは、２つの延長タブを提供する
ことを特徴とする請求項１に記載の整形外科用副子システム。
【請求項３】
前記液体ポーチは、水を多く含んだ水含浸ゲルを含み、前記ポーチが破裂すると、前記水含浸ゲルは、前記副子材料と流体接触する、
ことを特徴とする請求項１に記載の整形外科用副子システム。
【請求項４】
前記水含浸ゲルは、促進剤、硬化剤および増粘剤のうちの少なくとも１つを含む、
ことを特徴とする請求項３に記載の整形外科用副子システム。
【請求項５】
前記副子材料は、ほぼ平坦なストリップの形態である、
ことを特徴とする請求項１に記載の整形外科用副子システム。
【請求項６】
前記開口手段は、一部が液体パウチと接触しており、さらにその一部が液体パウチの上に置かれている拡張タブであり、前記拡張タブが拡張されると、拡張する、
ことを特徴とする請求項１に記載の整形外科用副子システム。
【請求項７】
前記開口手段が延長タブであり、その一部が液体パウチと接触し、その端部がそこから延びて保護スリーブの端部から出る、
ことを特徴とする請求項１に記載の整形外科用副子システム。
【請求項８】
前記液体パウチから延在し、前記保護スリーブの縁部に固定される２つの端部延長タブをさらに備える、
ことを特徴とする請求項１に記載の整形外科用副子システム。
【請求項９】
請求項１に記載の整形外科用副子システムであって、さらに、
保護スリーブ、副子材料、および液体ポーチを少なくとも部分的に囲む、耐引裂き性の水不透過性の外部パッケージを含む、
ことを特徴とする請求項１に記載の整形外科用副子システム。
【請求項１０】
前記副子材料は水硬化性ポリウレタン樹脂を含む、
ことを特徴とする請求項１に記載の整形外科用副子システム。
【請求項１１】
前記水が、プロピレングリコール、ヒドロキシプロピルセルロース、ヒドロキシメチルセルロース、およびデンプンのうちの１つ以上を含む水を含んだゲルの形態である、
ことを特徴とする請求項１に記載の整形外科用副子システム。
【請求項１２】
請求項１に記載の整形外科用副子システムであって、前記保護ポーチは、消毒液が噴霧される、
ことを特徴とする請求項１に記載の整形外科用副子システム。
【請求項１３】
前記副子材料の複数の層状ストリップを含む、
ことを特徴とする請求項１に記載の整形外科用副子システム。
【請求項１４】
前記液体ポーチは、副子材料の２つの層状ストリップの間に挿入される、
ことを特徴とする請求項１３に記載の整形外科用副子システム。
【請求項１５】
前記副子材料は、水硬化性樹脂を含浸させたガラス繊維または織りポリエステルを含む、
ことを特徴とする請求項１に記載の整形外科用副子システム。
【請求項１６】
前記水硬化性樹脂が、水を含んだゲルと接触した後に硬化し、硬くなる材料である、
ことを特徴とする請求項１５に記載の整形外科用副子システム。
【請求項１７】
ａ）幅寸法より長い寸法を有する多層積層ストリップの形態の水硬化性の整形副子材料と、
ｂ）前記整形副子材料の層の間に配置された水を含んだゲルを含む液体ポーチと、
を含み、
ｃ）前記液体ポーチは２つの延長タブを提供し、前記液体ポーチは、水を含んだゲルの放出が前記整形副子材料と直接流体接触することを可能にする開口手段を備える、
ことを特徴とする整形外科用副子システム。
【請求項１８】
２つの端部延長タブが保護スリーブの縁部に固定されて、前記液体ポーチの開放中の安定性を提供する、
ことを特徴とする請求項１７に記載の整形外科用副子システム。
【請求項１９】
請求項１７に記載のシステムであって、前記整形副子材料は、気密および水密の保護スリーブの内側に配置される、
ことを特徴とする請求項１７に記載の整形外科用副子システム。
【請求項２０】
前記整形副子材料は、水硬化性ポリウレタン樹脂を含む、
ことを特徴とする請求項１７に記載の整形外科用副子システム。
【国際調査報告】
2021511840.tif 000007